【手続補正書】
【提出日】平成19年12月3日(2007.12.3)
【手続補正１】
【補正対象書類名】特許請求の範囲
【補正対象項目名】全文
【補正方法】変更
【補正の内容】
【特許請求の範囲】
【請求項１】
センタ局と、複数のアンテナ素子を有するアレイアンテナを備えたリモート局とからなり、上記センタ局とリモート局が光ファイバで結合された無線基地局装置であって、
上記センタ局が、
送信信号をベースバンド変調する変調部と、
上記変調部から出力されたベースバンド信号を光信号に変換して上記光ファイバに送出する第１インタフェース部とを有し、
上記リモート局が、
上記光ファイバから受信した光信号を電気的なベースバンド信号に変換して出力する第２インタフェースと、
上記第２インタフェースから受信したベースバンド信号を、上記アレイアンテナのアンテナ素子と対応する複数列の送信信号に変換して出力する信号処理部と、
上記信号処理部から出力された各送信信号を無線周波数帯の送信信号に変換して、上記アレイアンテナのアンテナ素子に供給するＲＦ部と、
上記アレイアンテナの各アンテナ素子に供給された送信信号から送信信号間に発生した偏差を検出する偏差検出部とを有し、
上記信号処理部が、上記偏差検出部で検出された偏差に基づいて、上記ＲＦ部に出力すべき送信信号を校正することを特徴とする無線基地局装置。
【請求項２】
請求項１に記載の無線基地局装置において、
前記リモート局の信号処理部が、前記第２インタフェースから受信したベースバンド信号をプローブ信号付きの複数列の送信信号に変換して出力し、
前記偏差検出部が、前記アレイアンテナの各アンテナ素子に供給された送信信号からプローブ信号を抽出し、該プローブ信号に基づいて、送信信号間に発生した偏差を検出することを特徴とする無線基地局装置。
【請求項３】
請求項２に記載の無線基地局装置において、
前記リモート局の信号処理部が、時間多重、コード多重、または周波数多重によって、前記各送信信号にプローブ信号を付加することを特徴とする無線基地局装置。
【請求項４】
請求項１に記載の無線基地局装置であって、
前記センタ局の変調部が、前記ベースバンド信号と並列的にアレイ重み情報を出力し、
前記第１インタフェース部が、上記変調部から出力されたベースバンド信号とアレイ重み情報とを時間多重した光信号を前記光ファイバに送出し、
前記第２インタフェース部が、上記光ファイバから受信した光信号を電気信号に変換し、ベースバンド信号とアレイ重み情報とに分離して出力し、
前記リモート局の信号処理部が、上記第２インタフェース部から受信したベースバンド信号を上記アレイ重み情報に従って重み付けした複数列の送信信号に変換すると共に、前記偏差検出部で検出された偏差に基づいて、上記アレイ重み情報を適正化することを特徴とする無線基地局装置。
【請求項５】
請求項１に記載の無線基地局装置であって、
前記センタ局の変調部が、前記ベースバンド信号と並列的にアレイ重み情報を出力し、
前記第１インタフェース部が、上記変調部から出力されたベースバンド信号とアレイ重み情報とを時間多重した光信号を前記光ファイバに送出し、
前記第２インタフェース部が、上記光ファイバから受信した光信号を電気信号に変換し、ベースバンド信号とアレイ重み情報とに分離して出力し、
前記リモート局が、上記第２インタフェース部から出力された重み情報を前記偏差検出部で検出された偏差に基づいて適正化する重み校正部を有し、
前記信号処理部が、上記第２インタフェースから受信したベースバンド信号を上記重み校正部で校正されたアレイ重み情報に従って重み付けして、前記複数列の送信信号に変換することを特徴とする無線基地局装置。
【請求項６】
請求項１に記載の無線基地局装置であって、
前記センタ局の変調部が、送信信号を周波数チャネルの異なる直交周波数分割多重（ＯＦＤＭ）用の複数列のベースバンド送信信号に変換し、これらの送信信号とアレイ重み情報と並列的に出力し、
前記第１インタフェース部が、上記変調部から出力された複数列のベースバンド信号とアレイ重み情報とを時間多重した光信号を前記光ファイバに送出し、
前記第２インタフェース部が、上記光ファイバから受信した光信号を電気信号に変換し、周波数チャネル別の複数列のベースバンド信号とアレイ重み情報に分離して出力し、
前記リモート局が、上記第２インタフェース部から出力された重み情報を前記偏差検出部で検出された偏差に基づいて適正化する重み校正部を有し、
前記信号処理部が、上記第２インタフェースから受信した複数列のベースバンド信号を上記重み校正部で校正されたアレイ重み情報に従って重み付けした後、アンテナ素子と対応する複数列の送信信号に変換することを特徴とする無線基地局装置。
【請求項７】
請求項６に記載の無線基地局装置であって、
前記リモート局の信号処理部が、
前記第２インタフェースから受信した各周波数チャネルのベースバンド信号を前記校正されたアレイ重み情報に従って重み付けし、周波数領域信号成分と時間領域信号成分とからなるプローブ信号付きの２次元の送信信号として出力するアレイ処理部と、
上記アレイ処理部から出力された周波数領域の信号成分を逆フーリエ変換によって時間領域の信号成分に変換して、アンテナ素子と対応した複数列の送信信号に変換するＯＦＤＭ終端部とからなることを特徴とする無線基地局装置。
【請求項８】
請求項１に記載の無線基地局装置であって、
前記センタ局の変調部が、送信信号をアレイアンテナの各アンテナ素子と対応した複数列のモデム信号に変換して出力し、
前記第１インタフェース部が、上記変調部から出力された複数列のモデム信号を時間多重した光信号を前記光ファイバに送出し、
前記第２インタフェース部が、上記光ファイバから受信した光信号を電気信号に変換し、複数列のモデム信号に分離して出力し、
前記リモート局が、前記偏差検出部で検出された偏差に基づいてアンテナ素子毎の校正用複素ベクトル情報を生成する測定部を有し、
前記信号処理部が、上記測定部から出力された複素ベクトル情報を適用して、上記第２インタフェースから受信した複数列のモデム信号を校正した後、プローブ信号を付加したアンテナ素子別の複数列の送信信号として出力することを特徴とする無線基地局装置。
【請求項９】
請求項１に記載の無線基地局装置であって、
前記センタ局の変調部が、送信信号をアレイアンテナのアンテナ素子毎、周波数チャネル毎の複数列のモデム信号に変換して出力し、
前記第１インタフェース部が、上記変調部から出力された複数列のモデム信号を時間多重した光信号を前記光ファイバに送出し、
前記第２インタフェース部が、上記光ファイバから受信した光信号を電気信号に変換し、アンテナ素子毎、周波数チャネル毎の複数列のモデム信号に分離して出力し、
前記リモート局が、前記偏差検出部で検出された偏差に基づいてアンテナ素子毎の校正用複素ベクトル情報を生成する測定部を有し、
前記信号処理部が、上記測定部から出力された複素ベクトル情報を適用して、上記第２インタフェースから受信した複数列のモデム信号を校正した後、プローブ信号を付加したアンテナ素子別の複数列の送信信号として出力することを特徴とする無線基地局装置。
【請求項１０】
複数のアンテナ素子を有するアレイアンテナを備えたリモート局と、該リモート局に光ファイバで結合されたセンタ局とからなる無線基地局装置における通信方法であって、
上記センタ局が、
送信信号をベースバンド信号に変調し、該ベースバンド信号を光信号に変換して上記光ファイバに送出し、
上記リモート局が、
上記光ファイバから受信した光信号を電気的なベースバンド信号に変換し、
該ベースバンド信号を上記アレイアンテナのアンテナ素子と対応する複数列の送信信号に変換し、
上記各送信信号を無線周波数帯の送信信号に変換して、上記アレイアンテナのアンテナ素子に供給し、
上記アレイアンテナの各アンテナ素子に供給された送信信号から送信信号間に発生した偏差を検出し、
上記偏差に基づいて、上記無線周波数帯に変換すべき何れかの送信信号を校正することを特徴とする通信方法。